(57)【要約】【課題】    本発明は、簡易に水漏れを防ぐことができる切り花輸送用包装箱を提供することを目的としている。【解決手段】    切り花輸送用包装箱１は、複数の切り花３を収納する直方体形状の包装箱２と、柔軟性があり、それ自身では自立できず、切り花３の根に近い側の端部側を覆うと共に、水が入った袋４と、複数の切り花３の外側に位置する部位を袋４に密着させる密着手段５と、複数の切り花３の外側に位置する袋４に当接して複数の切り花３を支持する開口部61を有し、包装箱２内を横断するように設けられた支持部材６と、この支持部材６の開口部61は切り花３の立設状態の包装箱２の内底壁21からの距離Ｈ、包装箱２の内側壁22より離間した距離ｈであって、距離Ｈは切り花３の立設状態の内底壁21よりの水位Ｈ1 より大であると共に、支持部材６の開口部61は包装箱２の内側壁22が底に位置するように包装箱２内の切り花３を横に寝かせた状態で、底となる包装箱２の内側壁22からの距離ｈは、袋４内の水の移動により包装箱２の内側壁22の底よりの水位ｈ1 より大である。【選択図】図５
2005132399.tif 000002
【特許請求の範囲】
【請求項１】
複数の切り花を収納する直方体形状の包装箱と、
柔軟性があり、それ自身では自立できず、前記切り花の根に近い側の端部側を覆うと共に、水が入った袋と、
前記複数の切り花の外側に位置する部位を前記袋に密着させる密着手段と、
前記複数の切り花の外側に位置する前記袋に当接して前記複数の切り花を支持する開口部を有し、前記包装箱内を横断するように設けられた支持部材と、
この支持部材の開口部は前記切り花の立設状態の前記包装箱の内底壁からの距離Ｈ、前記包装箱の内側壁より離間した距離ｈであって、前記距離Ｈは前記切り花の立設状態の前記内底壁よりの水位Ｈ1 より大であると共に、前記支持部材の開口部は前記包装箱の内側壁が底に位置するように前記包装箱内の前記切り花を横に寝かせた状態で、前記底となる前記包装箱の内側壁からの距離ｈは、前記袋内の水の移動により前記包装箱の内側壁の前記底よりの水位ｈ1 より大である
ことを特徴とする切り花輸送用包装箱。
【請求項２】
包装箱の内側壁の内の一つは開閉できる蓋とし、この蓋の外表面に上下逆さまにしないような表示が付されており、この蓋に対向する内側壁が前記包装箱内の前記切り花を横に寝かせた状態で、前記包装箱の底となり、
支持部材の開口部は前記包装箱の底となる前記包装箱の内側壁からの距離ｈは、蓋となる前記包装箱の内側壁からの距離ｈ’より大である                                    ことを特徴とする請求項１記載の切り花輸送用包装箱。
【請求項３】
密着手段は、袋の内側であって、前記袋の開口部の縁部の全体に亙って設けられ、空気を収納して前記袋の開口部を狭めて前記複数の切り花の外側に当接する内側ポケットである
ことを特徴とする請求項１又は２記載の切り花輸送用包装箱。
【請求項４】
密着手段は、袋の外側にあって、前記袋の開口部を狭めて前記複数の切り花の外側に位置する前記袋に当接して束ねる、輪ゴム、粘着テ−プ、紐の内の何れか一つである        ことを特徴とする請求項１又は２記載の切り花輸送用包装箱。
【発明の詳細な説明】
【技術分野】
【０００１】
本発明は、切り花輸送用包装箱に係り、特に、簡易に水漏れを防ぐことができる切り花輸送用包装箱に関する。
【背景技術】
【０００２】
切り花を立てた状態で搬送することができる切り花輸送用紙箱がある（例えば、特許文献１参照）。
【特許文献１】特開平８−２７６９７３号公報
【発明の開示】
【発明が解決しようとする課題】
【０００３】
切り花輸送用紙箱が車等により切り花が立った状態で搬送される場合、支障を生じない。
しかしながら、切り花輸送用紙箱を車から降ろして、市場へ並べる場合、切り花が立った状態でベルトコンベヤで搬送されると、不安定なため、切り花を横に寝かせた状態で、搬送される。そのため、上述した切り花輸送用紙箱の水入り袋にあっては、特開平８−２７６９７３号公報の図１及び図４に示すように、それ自身で形状を保つようになっており、切り花を横に寝かせると、容易に水がこぼれて流出するという問題点が生じた。
本発明は、上述した問題点を除去するようにした切り花輸送用包装箱を提供するものである。
【課題を解決するための手段】
【０００４】
上記目的を達成するために、請求項１記載の切り花輸送用包装箱は、複数の切り花を収納する直方体形状の包装箱と、柔軟性があり、それ自身では自立できず、前記切り花の根に近い側の端部側を覆うと共に、水が入った袋と、前記複数の切り花の外側に位置する部位を前記袋に密着させる密着手段と、前記複数の切り花の外側に位置する前記袋に当接して前記複数の切り花を支持する開口部を有し、前記包装箱内を横断するように設けられた支持部材と、この支持部材の開口部は前記切り花の立設状態の前記包装箱の内底壁からの距離Ｈ、前記包装箱の内側壁より離間した距離ｈであって、前記距離Ｈは前記切り花の立設状態の前記内底壁よりの水位Ｈ1 より大であると共に、前記支持部材の開口部は前記包装箱の内側壁が底に位置するように前記包装箱内の前記切り花を横に寝かせた状態で、前記底となる前記包装箱の内側壁からの距離ｈは、前記袋内の水の移動により前記包装箱の内側壁の前記底よりの水位ｈ1 より大である。
【０００５】
また、請求項２記載の切り花輸送用包装箱は、請求項１記載の切り花輸送用包装箱において、包装箱の内側壁の内の一つは開閉できる蓋とし、この蓋の外表面に上下逆さまにしないような表示が付されており、この蓋に対向する内側壁が前記包装箱内の前記切り花を横に寝かせた状態で、前記包装箱の底となり、支持部材の開口部は前記包装箱の底となる前記包装箱の内側壁からの距離ｈは、蓋となる前記包装箱の内側壁からの距離ｈ’より大である。
【０００６】
また、請求項３記載の切り花輸送用包装箱は、請求項１又は２記載の切り花輸送用包装箱において、密着手段は、袋の内側であって、前記袋の開口部の縁部の全体に亙って設けられ、空気を収納して前記袋の開口部を狭めて前記複数の切り花の外側に当接する内側ポケットである。
【０００７】
また、請求項４記載の切り花輸送用包装箱は、請求項１又は２記載の切り花輸送用包装箱において、密着手段は、袋の外側にあって、前記袋の開口部を狭めて前記複数の切り花の外側に位置する前記袋に当接して束ねる、輪ゴム、粘着テ−プ、紐の内の何れか一つである。
【発明の効果】
【０００８】
請求項１記載の切り花輸送用包装箱によれば、切り花を立設状態で搬送する場合、切り花を支持する支持部材の開口部は切り花の立設状態の包装箱の内底壁からの距離Ｈは切り花の立設状態の内底壁よりの水位Ｈ1 より大の位置に、また、包装箱内の切り花を横に寝かせた状態で搬送される場合、支持部材の開口部は、底となる包装箱の内側壁からの距離ｈは、柔軟な袋と水の移動により包装箱の内側壁の底よりの水位ｈ1 より大の位置に、それぞれなるように調整されているため、水漏れを簡易に防ぐことができる。
【０００９】
また、請求項２記載の切り花輸送用包装箱によれば、前述の請求項１記載の発明の効果に加え、切り花を横に寝かせる場合、蓋の外表面に付された上下逆さまにしないような表示、例えば、「天地無用」を見て、蓋に対向する内側壁が包装箱の底となるようにし、かかる場合、支持部材の開口部は包装箱の底となる包装箱の内側壁からの距離ｈは、蓋となる包装箱の内側壁からの距離ｈ’より大とし、距離ｈをより長く取ることができるため、包装箱をコンパクトにして水漏れをより防ぐことができる。
【実施例】
【００１０】
本発明の一実施例の切り花輸送用包装箱を図面を参照して説明する。
図１乃至図５において、１は切り花輸送用包装箱で、切り花輸送用包装箱１は、例えば、材質はダンボ−ルで、直方体形状の包装箱２に複数の切り花３を収納するものである。
【００１１】
４は袋で、袋４の材質は、例えば、ポリエチレンで、柔軟性があり、それ自身では自立できず、切り花３の根に近い側の端部側を覆うと共に、少量の水が入っている。
５は、複数の切り花３の外側に位置する部位を袋４に密着させる密着手段で、密着手段５は、具体的には、袋４の内側であって、袋４の開口部の縁部の全体に亙って設けられ、空気を収納して袋４の開口部を狭めて複数の切り花３の外側に位置する内側ポケット51に当接するものである。
【００１２】
６は包装箱２内を横断するように設けられた支持部材で、支持部材６は複数の切り花３の外側に位置する袋４に当接して複数の切り花３を支持する開口部61を有している。      この支持部材６の開口部61は切り花３の立設状態の包装箱２の内底壁21からの距離Ｈ、包装箱２の内側壁22より離間した距離ｈであって、距離Ｈは切り花３の立設状態の内底壁21よりの水位Ｈ1 より大となっている（図４参照）。                                  また、支持部材６の開口部61は、図５に示すように、包装箱２の内側壁22が底に位置するように包装箱２内の切り花３を横に寝かせた状態で、底となる包装箱２の内側壁22からの距離ｈは、袋４内の水の移動により包装箱２の内側壁22の底よりの水位ｈ1 より大となるように、袋４内の水の量が調整されている。
なお、支持部材６は包装箱２と一体的に作られるために、接続片Ｓ、接続片Ｓに対向する対向接続片Ｓ’を設け（図１参照）、接続片Ｓ、対向接続片Ｓ’を図３及び図４に示すように、脚部として機能させている。支持部材６は、場合により、包装箱２と別体に設けても良く、更に、脚部となる接続片Ｓ、対向接続片Ｓ’を設けず、支持部材６を包装箱２内を横断するように接着剤で設けるようにしても良い。
【００１３】
即ち、車等により、切り花３を立設状態で搬送する場合、切り花３を支持する支持部材６の開口部61は切り花３の立設状態の包装箱２の内底壁21からの距離Ｈは切り花３の立設状態の内底壁21よりの水位Ｈ1 より大の位置に、また、切り花輸送用紙箱１を車から降ろして、市場へ並べる場合、包装箱内の切り花を横に寝かせた状態でベルトコンベヤで搬送される場合、支持部材６の開口部61は、底となる包装箱２の内側壁22からの距離ｈは、柔軟な袋４と水の移動により包装箱２の内側壁22の底よりの水位ｈ1 より大の位置に、それぞれなるように袋４内の水は調整されているため、水漏れを簡易に防ぐことができる。
【００１４】
なお、特に、包装箱２の内側壁22、23、24、25の内の一つ、例えば、内側壁23（内側壁23は内側壁22に対向する位置にある。）は開閉できる蓋（内側壁23）とし、この蓋（内側壁23）の外表面に上下逆さまにしないような表示（例えば、「天地無用」）が付されており、この表示を見ることにより、蓋（内側壁23）を開けることなく、蓋（内側壁23）に対向する内側壁22が包装箱２内の切り花３を横に寝かせた状態で、包装箱２の底とすることができる。
そして、支持部材６の開口部61は包装箱２の底となる包装箱２の内側壁22からの距離ｈは、蓋（内側壁23）となる包装箱２の内側壁23からの距離ｈ’より大とし、距離ｈをより長く取ることができ、包装箱２をコンパクトにして水漏れをより防ぐことができる。
また、図３に示すＷは輪ゴムで、輪ゴム（輪ゴム以外に、粘着テ−プ、紐でも良い。）Ｗは切り花３を横に寝かせた状態での倒れ込みを防ぐもので、輪ゴムＷは切り花３を囲む（輪ゴムＷは切り花３の外側に位置する袋４を囲むようにしても良い。）と共に、包装箱２に設けられた切り起し片Ｋに係止している。
【００１５】
なお、上述した実施例においては、密着手段５として、袋４の内側に内側ポケット51を設けたが、本発明にあってはこれに限らず、例えば、図６及び図７に示すような「袋４の外側にあって、袋４の開口部を狭めて複数の切り花３の外側に位置する袋４に当接して束ねる紐52」でも良く、更に、図示しないが、「紐52」以外には、「輪ゴム」、「粘着テ−プ」等でも良い。また、図６及び図７においては、図１乃至図５と同一部分に同一符号を付してその説明を省略する。
【図面の簡単な説明】
【００１６】
【図１】図１は、本発明の一実施例の切り花輸送用包装箱に使用される包装箱の概略的分解斜視図である。
【図２】図２は図１の包装箱を組み立て、切り花を入れる前の状態の概略的斜視図である。
【図３】図３は、図２の包装箱に切り花を入れた状態の概略的斜視図である。
【図４】図４は、切り花の立設状態の切り花輸送用包装箱の概略的断面図である。
【図５】図５は、図４の切り花輸送用包装箱の切り花を横に寝かせた状態の概略的断面図である。
【図６】図６は、図４の切り花輸送用包装箱と異なる他の実施例の切り花の立設状態の概略的断面図である。
【図７】図７は、図６の切り花輸送用包装箱の切り花を横に寝かせた状態の概略的断面図である。
【符号の説明】
【００１７】
１  ・・・・・切り花輸送用包装箱
２  ・・・・・包装箱
３  ・・・・・切り花
４  ・・・・・袋
５  ・・・・・密着手段
６  ・・・・・支持部材
61  ・・・・・開口部
【図１】
2005132399.tif 000003
【図２】
2005132399.tif 000004
【図３】
2005132399.tif 000005
【図４】
2005132399.tif 000006
【図５】
2005132399.tif 000007
【図６】
2005132399.tif 000008
【図７】
2005132399.tif 000009